(57)【要約】【課    題】宅配業者が搬送を委託された荷物に掛けるカバー等のシート材を容易にリサイクル可能な材料により形成する。【解決手段】ナイロン製不織布とナイロンフィルムとを積層して形成したこと。【選択図】    図１
2004237648.tif 000002
【特許請求の範囲】
【請求項１】
ナイロン製不織布とナイロンフィルムとを積層して形成したことを特徴とするシート材。
【請求項２】
ナイロン製不織布とナイロンフィルムとの積層には、前記布とフィルムの間にパウダ状の熱融着剤を介在させて当該不織布とフィルムとを積層一体化した請求項１のシート材。
【請求項３】
シート材のナイロン含有率を９０％以上にした請求項１又は２のシート材。
【請求項４】
請求項１〜３のいずれかのシート材にシール等による回収マークを付けて需要者に供給し、用済み後の前記アーク付きのシート材は、宅配業者等にマーク１個当たり所定の対価を支払って有償で回収させることを特徴とするシート材のリサイクル回収システム。
【発明の詳細な説明】
【０００１】
【発明の属する技術分野】
本発明はいわゆる宅配便で使用されるカバー体や袋体に形成されるシート状物をリサイクル可能に形成すると共に、そのシート状物をリサイクル用に効率よく回収するための回収システムに関する。
【０００２】
【従来の技術】
近年、スキーやスノーボード、或は、ゴルフ等に使用する道具類を、その使用者が自分でスキー場やゴルフ場に持込んだり、自分で持帰ったりするという従来の搬送パターンから、宅配業者に前記道具類の運搬を委託する形態が開発され、近時、著しく利用者が増大するようになった。
【０００３】
宅配業者に上記道具類のほかに使用者乃至所有者が荷物等の運搬を委託する形態としては、旅行用の大型カバンや大型ケース、或は、入力運搬台車に乗る大きさに形成された箱（コンテナ）にパッケージされた単身者用の引越荷物などがある。
【０００４】
上記のように宅配業者に上記の道具類など（以下、単に「荷物」という）の運搬を委託するとき、宅配業者側では、委託された荷物を傷めないように透明乃至半透明のビニールシートやポリエチレン材やポリエステル材によるフラット織布などによる透明乃至半透明のシート状材で形成した袋状乃至はカバー状などのカバー体で運搬を委託された荷物をカバーしているが、使用後のカバー体は廃棄されて、いわゆる産業廃棄物の一種となっている。
【０００５】
しかし乍ら、上記カバー体はビニールシートやポリエチレン等のフラットヤーン織布など、石油化学製品であってリサイクルが不能乃至はリサイクルに不向きであるため、埋立てや焼却などにより処理しているが、旧来の手法による廃棄処理では、環境汚染の一因をなすとして、その改善が要請されている。
【０００６】
【発明が解決しようとする課題】
そこで本発明では、宅配業者が搬送を委託された荷物に掛けるカバー等のシート材を容易にリサイクル可能な材料により形成すると共に、形成されたシート材をリサイクルのために効率よく回収するシステムを提供することを、をの課題とするものである。
【０００７】
【課題を解決するための手段】
上記課題を解決することを目的としてなされた本発明シート材の構成は、ナイロン製不織布とナイロンフィルムとを積層して形成したことを特徴とするものである。
【０００８】
【発明の実施の形態】
本発明シート材の形成においては、ナイロン製不織布とナイロンフィルムとの積層には、前記布とフィルムの間にパウダ状の熱融着剤を介在させて当該不織布とフィルムとを積層一体化したシート状に形成する。ここでパウダ状の熱融着剤を前記不織布としてフィルムの積層一体化のために用いるのは、これにより形成されるシート材のナイロン含有率を例えば９０％以上にして、本発明シート材をナイロンのリサイクル材として利用するための条件を満たすためである。
【０００９】
上記のようにして形成される本発明シート材は、適宜のシート形状に裁断したり、袋状に縫製などすることにより、宅配業者が搬送を委託される荷物のカバーや袋状の容れ物（容器）に形成して搬送荷物の保護のために使用される点は、従来の同種カバーや袋状容器と同様である。
【００１０】
しかるに本発明では、本発明シート材がリサイクル可能なナイロンを主体に形成されている点に鑑み、使用済みの前記シート材をリサイクルに供するため、リサイクル可能な前記シート材を効率よく回収することを可能にした回収システムを提供するので、以下にその一例について説明する。
【００１１】
本発明回収システムでは、本発明シート材を利用する者（需要者）、具体的には、スキーやゴルフなど、大形の道具を使用したスポーツ等を行おうとする者や大型バッグを携行する旅行者、或は、荷物が少な目の引越しをしたい単身者などに、一例としてシールなどによる回収マークを付した本発明シート材を供給する。この供給形態は、宅配業者の店舗やホームセンター、或は、スポーツ店など、引越用器材などの販売業者や取扱い業者、或は、スキー板やゴルフ道具などの各種ショップ，ストアにおいて有償で頒布、つまり有料販売することにより行う。
【００１２】
上記のように本発明シート材は、コンビニエンスストアや宅配業者の営業所などにおいて、前記の需要者（利用者）に、通常、有償で提供されるので、本発明シート材の需要者、つまり本発明シート材を必要とする者がそのシート材を購入し、スキー道具やゴルフ道具などの送りたい荷物を当該シート材によって外装し、これを宅配業者に搬送を委託する。
【００１３】
本発明シート材により外装された荷物が目的地へ配送されると、その荷物の配送を受けた者は、中の道具類を取出して使用するので、それを外装していた本発明シート材は不要になる。なお、送ってもらった荷物を自宅に戻す場合に、前記シート材を再び利用すれば経済的である。いずれにしても、用済み後の本発明シート材は不要になり、廃棄対象物となる。
【００１４】
しかし、本発明シート材には、シールの貼付などによる回収マークが付されているので、このマークを確認した宅配業者は、このシート材を使用した者から手数料を取ることなく回収し、一定の場所に持込む。ここで、一定の場所とは、リサイクル可能な本発明シート材を回収するために本発明回収システムの運営主体が適宜の場所に設定したリサイクル用シート回収拠点をいう。この回収拠点は、一箇所に止まらず回収効率を上げるため所定の地域や範囲を単位とする地域（範囲）ごとに設置することが好ましい。回収マークは、上記シールの例のほか、目印となるマークのシート材への直接印刷など、適宜手法を採ることができる。要は、リサイクル可能なシート材であることが目視により確認できればよい。
【００１５】
各回収拠点に回収されて集積される回収マーク付きのリサイクル可能な本発明シート材は、ナイロンのリサイクル設備が設置されている工場など、いわゆるリサイクル工場に集荷され、そこにおいて、ナイロン材に関する公知の、或は、常法によるリサイクル処理手法によりリサイクル処理される。
【００１６】
上記のリサイクル過程において、不要になった回収マーク付きのリサイクル可能な本発明シート材を宅配業者などの回収を行う者（回収業者）に積極的に回収してもらうため、本発明システムでは、その運営主体が回収マーク１個につき回収対価を支払うようにしている。
【００１７】
この結果、上記例の宅配業者は本発明シート材を需要者（利用者）に販売することによる収益と、用済み後の回収マーク付の本発明シート材を回収して、本発明回収システムの運営主体に引渡すことにより支払われる回収対価による収益とを得ることができることとなるので、宅配業者など本発明シート材を取扱う者は、本発明シート材の需要促進と用済みシート材の回収促進とを同時に進めることができ、かつ、それらによって二度収益を得ることができるという、新たな業務（ビジネス）が創成されることとなる。また、本発明シート材の利用者は、手数料を要することなく不要になった用済み後の当該シート材を処理できることとなり、手間が省ける。
【００１８】
図１は上記に説明した本発明シート材のリサイクル循環構造を例示した模式図である。図１において、本発明シート材の利用者１は本発明シート材の供給者（本発明シート材のメーカや宅配業者等の販売者を含む）２から必要とする本発明シート材を購入して使用する。
【００１９】
用済み後の前記の本発明シート材は廃棄されるが、本発明では利用者１がこのシート材を宅配業者などによる回収者３に無償で引取り，回収をしてもらう。本発明シート材の回収者（宅配業者等）３は、これを回収拠点４に持込みそこで本発明シート材を有償で引取ってもらう。この有償引取りは、本発明シート材に回収マークが付されているので、一例としてこのマークの個数によって引取価格を算出する。
【００２０】
回収拠点４は、通常リサイクル工場５が兼備したり、或は、本発明シート材のメーカが設置運営する。また、リサイクル工場５も本発明シート材のメーカに併設されることがある。従って、本発明シート材のメーカ、或は、その原料メーカが本発明回収システムの運営主体としては適任である。いずれにしても、回収拠点４に回収集荷された本発明シート材は、工場５でリサイクルされ再生ナイロンとして、再び本発明シート材やその他の再生ナイロン製品に加工され、本発明シート材の供給者２に引取られ、そこで販売されることとなる。
【００２１】
【発明の効果】
本発明は以上の通りであって、宅配業者が搬送を委託された荷物に掛けるカバー等のシート材を、ナイロン製不織布とナイロンフィルムとを積層して例えばナイロン９０ｗ％シート材に形成したことにより、用済み後の当該シート材を有効にリサイクル活用することが可能になる。
【００２２】
また、本発明では以上の本発明シート材の回収システムを、本発明シート材にシール等による回収マークを付けて利用者に供給し、用済み後の前記シート材を、宅配業者等にマーク１個当たりの対価を支払って有償で回収させるシステム構成としたので、回収が積極的に進められ回収効率が高くなり、この結果、ナイロンという単一素材のリサイクル効率も高まるという、二重の効果が得られる。
【図面の簡単な説明】
【図１】本発明シート材のリサイクル循環構造を例示した模式図
【符号の説明】
１    本発明シート材の利用者
２    本発明シート材の供給者
３    本発明シート材の回収者
４    本発明シート材の回収拠点
５    本発明シート材のリサイクル工場
【図１】
2004237648.tif 000003